(57)【要約】【課題】本発明は、両頭針型既充填注射器の針先端の保護キャップのシール等に適した糊付きラベルに関し、剥離操作をいつも容易かつ確実に行うことができるものようにすることを目的とする。【解決手段】糊付きラベル３６はポリエチレン延伸フィルムなどの熱収縮フィルムの長方形状切片３８として構成され、熱収縮フィルム切片３８は一端に摘み片４０を一体に形成している。熱収縮フィルム切片３８の片面に粘着剤が塗布されている。摘み片４０の部位における粘着剤面は糊抑え面（斜線領域）を形成し、糊抑え面は熱収縮フィルム切片の一端における実質的全幅に延びている。糊付きラベル３６は両頭針型既充填注射器における保護キャップの挿入部に巻装され、熱収縮温度以上に加熱することにより相手側に密着シールされる。【選択図】  図３
2007079433.tif 000002
【特許請求の範囲】
【請求項１】
フィルム切片の片面に粘着剤を塗布し、フィルム切片の一端から摘み片を延出形成した糊付きラベルであって、摘み片はフィルム切片の一端の中心から外れた位置に延出している糊付きラベル。
【請求項２】
フィルム切片の片面に粘着剤を塗布し、フィルム切片の一端から摘み片を延出形成した糊付きラベルであって、摘み片が延出するフィルム切片の一端は実質的に全幅において糊抑え面を形成している糊付きラベル。
【請求項３】
フィルム切片の片面に粘着剤を塗布し、フィルム切片の一端から摘み片を延出形成した糊付きラベルであって、摘み片はフィルム切片の一端の中心から外れた位置に延出しており、摘み片が延出するフィルム切片の一端は実質的に全幅において糊抑え面を形成している糊付きラベル。
【請求項４】
請求項１から３のいずれか一項に記載の発明において、フィルムは熱収縮フィルムである糊付きラベル。
【請求項５】
請求項１から４のいずれか一項に記載の発明において、糊付きラベルは両頭針型既充填注射器における針先端の保護キャップの挿入部の巻装被覆のため使用される糊付きラベル。
【請求項６】
予め薬剤が充填され、薬剤の押し出しが可能な薬剤収納部と、薬剤収納部に開口する筒状連結部と、薬剤収納部を封止するべく前記筒状連結部の内部に設けられた穿刺可能な封止部と、前記筒状部に挿入位置される基部と、前記基部に収納部側の一端は短く突出し他端は大きく突出するように設けられた両頭針と、前記基部に当接しつつ両頭針の前記他端部を包囲するように前記筒状部に内側より挿入される保護キャップとを具備し、使用前には基部は両頭針の前記一端による封止部材の穿刺を阻止する状態にあり、使用に際しては保護キャップにより前記基部を薬剤収納部側に押し込むことにより、両頭針の前記一端による封止部材の穿刺が行われる両頭針型既充填注射器であって、使用前における筒状部に対する保護キャップの挿入部を巻装被覆する糊付きラベルを具備し、糊付きラベルの一端の摘み片は要シール部に対してずれて位置している両頭針型既充填注射器。
【請求項７】
請求項６に記載の発明において、摘み片が突出する糊付きラベルの一端は実質的全幅にわたる糊抑え面を形成している両頭針型既充填注射器。
【発明の詳細な説明】
【技術分野】
【０００１】
この発明は、糊付きラベルに関し、特に剥がし易く、摘み片から千切れることなく剥がすことができる糊付きラベルに関し、両頭針型既充填注射器における保護キャップのシール等として好適に利用できるものである。
【背景技術】
【０００２】
両頭針型既充填注射器として、薬剤を予充填し、先端部におけるライナーにより封止されたシリンジ本体部と、両側に針先端が突出した両頭型の基部と、基部から一体に延び、シリンジ本体部に相対移動可能に外周側より嵌合されるスカート部と、針用の保護キャップとを備え、スカート部は使用前はシリンジ本体側の針先端が薬剤収納部を封止するライナーから離間させるように位置され、使用に際して時に保護キャップによりスカート部をシリンジ本体に対して相対変位されることで、シリンジ本体側の針先端により封止部を穿刺・開口させ、シリンジ本体内に収容された薬剤を両頭針に連通させるようにしたものが提案されている。この種の両頭針型既充填注射器では、使用前に封止部が穿刺されてしまうと、薬剤が両頭針側に漏洩し、使用に適さなくなってしまうため、意図的に開封操作しないとライナーの穿刺がされていようにシリンジ本体に対するスカート部の嵌合度合いを調節する突起部（プロテクタ）を嵌合面間に設けている。そして、未使用なのにプロテクタが破られた万が一のときのためシリンジ本体に対するスカート部の嵌合部の外周を刺貫確認用の糊付きラベルにて包被させている（特許文献１参照）。
【特許文献１】実開平６−５２８３７号公報
【発明の開示】
【発明が解決しようとする課題】
【０００３】
糊付きラベルは熱収縮フィルム切片の片面に粘着剤を塗布し、熱収縮フィルム切片の一端から摘み片を延出形成して構成される。摘み片の裏面には糊抑え面が形成されているため、巻装状態において摘み片は浮いており、ここを摘むことによりタックを剥がすことができるようになっている。
【０００４】
摘み片は熱収縮フィルム切片の一端の中央部からトング（舌）状に突出しているため、熱収縮時に受ける熱による収縮を受けてしまい、摘み片だけ破れてしまうことがあり、剥離操作がやり難かった。この発明はかかる不具合を解消し、摘み片による剥離操作をより確実とするべくなされたものである。
【課題を解決するための手段】
【０００５】
この発明おける糊付きラベルは、両頭針型既充填注射器における針先端の保護キャップの挿入部の巻装被覆に適している。糊付きラベルはポリエチレン延伸フィルムなどの熱収縮フィルムを所定形状の切片とし、熱収縮フィルム切片の片面に粘着剤を塗布して構成される。熱収縮フィルム切片の一端は摘み部となる舌状突出部を有し、摘み部の下面は糊抑え面（非糊付け面）を形成している。この発明では摘み片は熱収縮フィルム切片の熱収縮フィルム切片の一端の中心から外れた位置に突出している。そして、摘み片が突出する熱収縮フィルム切片の一端は実質的全幅において糊抑え面を形成している。
【０００６】
この発明の糊付きラベルは両頭針型既充填注射器の針先端の保護キャップの挿入部の巻装シールに適している。即ち、両頭針型既充填注射器は予め薬剤が充填され、薬剤の押し出しが可能な薬剤収納部と、薬剤収納部に開口する筒状連結部と、薬剤収納部を封止するべく前記筒状連結部の内部に設けられた穿刺可能な封止部と、前記筒状部に挿入位置される基部と、前記基部に収納部側の一端は短く突出し他端は大きく突出するように設けられた両頭針と、前記基部に当接しつつ両頭針の前記他端部を包囲するように前記筒状部に内側より挿入される保護キャップとを具備している。糊付きラベルは筒状部に対する保護キャップの挿入部を巻装被覆するため使用される。糊付きラベルの一端における摘み片は中心から外れて位置しており、かつ摘み片が突出する熱収縮フィルム切片の一端は実質的全幅に亘って糊抑え面（非糊付け部）を形成している。
【発明の効果】
【０００７】
糊付きラベルの摘み片は熱収縮フィルム切片に対して中心から外れて突出している。そのため、加熱シール時の熱を中心に集中させて摘み片に直接加わらないように摘み片を加熱部に対してずらして位置させることができるため、摘み片の部分での熱収縮が実質的に生ぜず、摘み片が歪んでしまうことがない若しくは少ない点で好ましい。
【０００８】
また、摘み片が突出する熱収縮フィルム切片の一端は実質的全幅において糊抑え面を形成しているため、摘み片が補強され、注射器使用のため糊付きラベルを引き剥がす際に摘み片が千切れてしまうことがなく、操作性を高めることができる。
【発明を実施するための最良の形態】
【０００９】
図１はこの発明の実施形態の両頭針型既充填注射器の断面図であり、１０はプラスチック成形品としてのシリンジ本体（この発明における薬剤の押し出しが可能な薬剤収納部）であり、シリンジ本体１０の一端には同じくプラスチック成形品としてのフィンガグリップ１１のハブ１１Ａが嵌着され、他端には後述の針ユニット１２が装着される。シリンジ本体１０にはプラスチック成形品としてのプランジャ１３が長手方向に摺動可能に嵌合され、プランジャ１３からはシリンジ本体１０から離間する方向にプランジャロッド１４が一体に延出されている。シリンジ本体１０の内部筒状空洞は一種類若しくは多種類の液状薬剤を予め充填する薬剤収納室１５を構成し、フィンガグリップ１１の操作によりプランジャロッド１４を駆動することにより、薬剤収納室１５から薬剤を押し出すことができる。針ユニット１２におけるシリンジ本体１０の端部10-1は少し径が絞られている。
【００１０】
針ユニット１２の構造を説明すると、１６はノズル（この発明の筒状連結部）であり、ノズル１６は筒状のプラスチック成形品であり、長手方向における中間位置における外周にフランジ16-1を形成している。ノズル１６は一端がシリンジ本体１０の絞られた端部10-1にフランジ16-1が対向端面に突き当たる位置まで密実に挿入されている。ノズル１６の端面はノズル１６の内部空洞を密封閉鎖するべく一体に閉鎖され、この一体の端面としての仕切部２２（この発明の穿刺可能な封止部）はシリンジ本体１０の内部空洞に形成された薬剤収納室１５を針ユニット１２側に対して封止しており、未使用時における薬剤の針ユニット１２側への漏洩を防止している。ノズル１６の内部筒状空洞には両頭針２４を貫通固着保持した基部（両頭針２４を鋳込んだプラスチック成形品）２６が長手方向摺動自在に嵌合されている。両頭針２４はシリンジ本体１０側の内側尖端24-1は比較的僅か基部２６から突出し、シリンジ本体１０から離間側の外側尖端24-2は相当長く基部２６から突出している。基部２６はプラスチック成形品であり、ノズル１６の内周部に密実に嵌挿される大径部26-1と、大径部26-1から一体にシリンジ本体と離間側に突出した小径部26-2とを備える。注射器の使用前は内側尖端24-1は仕切部２２の穿刺を行うことがないように離間位置させる必要があり、そのためのロック手段として、両頭針１６の内周面にはロック用突起２８が形成されており、基部２６の大径部26-1がロック用突起２８に当接することにより、そのままでは基部２６は図示以上には左方向に変位しないように拘束された状態にある。３０は保護キャップを示しており、保護キャップ３０はシリンジ本体１０から離間した前端30-1は完全閉鎖され、シリンジ本体１０側の開放後端30-2はノズル１６に内側より嵌合され、保護キャップ３０の端面は基部２６の大径部26-1の端面に当接されるようにノズル１６の内部空洞に延びている。そのため、保護キャップ３０をロックを破って図１の矢印ａ方向に押し込むことにより基部２６は同方向に連れ移動され、両頭針２４の内側尖端24-1により仕切部２２を穿刺することができる。保護キャップ３０は軸方向における中間位置に拡径部３２を形成しており、その結果、ノズル１６の対抗端面との間は軸方向に延びる環状窪み部３４を形成している。
【００１１】
ノズル１６と保護キャップ３０との間の環状窪み部３４を挟んでノズル１６及び保護キャップ３０の対向端面を相当超える長さを持つ糊付きラベル３６がノズル１６に対する保護キャップ３０の挿入部に包被・収縮される。糊付きラベル３６は、ポリエチレン延伸フィルムなどの熱収縮フィルムにて形成され、図３に示す展開形状の切片３８に切り出され、熱収縮フィルム切片３８は、全体としては矩形（長方形）であるが、一端にトング（舌）状の摘み片４０を中心から外れた（オフセットした）位置に形成している。摘み片４０は中心から外れて位置しているが、側端面に面一（δ＝０）となると引っ張ったときに千切れやすいのでδ＝２ｍｍといった適当な余白を残すのが好ましい。熱収縮フィルム切片３８の片面には適当な粘着剤が塗布されているが、摘み片４０の部位における粘着剤面には糊抑え（極薄の樹脂フィルム）が貼着されており、糊抑えの貼着部は図３において斜線領域にて示しており、熱収縮フィルム切片３８の長方形部の全幅に延びている。破線４２は熱収縮フィルム切片３８における糊抑えの奥行き限界線（幅）を示すが、ｌ＝４ｍｍといった適当な幅に選定することにより、剥離時における摘み片４０を千切れを防止するため必要な所期の補強効果を達成することができる。また、図３では糊抑えの奥行き限界線は熱収縮フィルム切片３８の幅と平行であるが、実質的全幅に亘るものであれば多少傾斜したり又は湾曲させることもこの発明の技術思想に包含されるものである。
【００１２】
図４は糊付きラベルの巻装状態を示しており、糊付きラベル３６はその幅がノズル１６と保護キャップ３０の拡径部３２との間にわたって延びており、糊付きラベル３６の幅において中心から外れた摘み片４０はノズル１６と保護キャップ３０との間の環状窪み部３４から外れるように位置されている。糊付きラベル３６の巻装後に、糊付きラベル３６の熱収縮が行われる。図４において、４４は熱収縮のための加熱部材を模式的に示しており、加熱部材４４は環状窪み部３４における糊付きラベル３６の部位を集中的に加熱するように配置される。図５及び図６は熱収縮完了後の糊付きラベル３６を示しており、糊付きラベル３６は加熱を受ける部分では熱収縮し、糊付きラベル３６の熱収縮部はノズル１６及び保護キャップ３０の拡径部３２に対する対抗面に対しては密着され、ノズル１６と拡径部３２との環状窪み部３４の環状窪み部３４の部位では糊付きラベルは窪み部３４に向けて入り込む。３６Ａはこのようにして形成された糊付きラベルの窪み部分を示す。そのため、糊付きラベル３６は図３の不使用状態での基部２６の拘束をより強固に行い、意図しない薬剤の漏洩をより確実に防止することができる。即ち、シリンジ本体側のノズル１６と保護キャップ側の拡径部３２との間の窪み部３４に入り込んだ糊付きラベル３６の熱収縮部分３６Ａが突っ張りとなって、保護キャップ３０はノズル１６に対してガタなく固定され、糊付きラベル３６として適当にこしの強いもの（破れ難いもの）を選定することで、ノズル１６に対する保護キャップ３０の相対変位（糊付きラベル３６を構成するプラスチックフィルムの破裂）はよほど無理な力を加えない限りは起こり得ないため、意図的でない操作による針ユニット１２の側への薬剤の漏洩の恐れをより確実に防止することができる。
【００１３】
オフセット配置の摘み片４０は熱収縮時の熱があまり直接には加わらないように配置されているため、熱収縮後も図６に示すように、摘み片４０の形状は実質的に歪むことがない。加熱部に位置した部位において、糊付きラベル３６は熱を受けるが、摘み片４０から延設される糊抑え（斜線）部分では厚みの部分だけ熱による変形は少なくなる。
【００１４】
使用時には図５及び図６の状態で摘み片４０を掴み、引っ張ることにより糊付きラベル３６を注射器から剥離する。この発明では摘み片４０の裏面の糊抑えが破線４２のように熱収縮フィルム切片の長方形部分の実質的全幅に延びているため、補強効果があり、剥離操作により摘み片４０のみが千切れてしまうという不具合に対する効果的な対策となる。また、摘み片４０は加熱シール時の熱が強くはかからないように中心から外れているため（オフセットしているため）、摘み片４０の熱による形状歪みが少なく、剥離時の操作性からも外観の点からも好ましい。
【００１５】
このようにして、糊付きラベルを剥離後に、保護キャップ３０をシリンジ本体１０に向けて押し込んでゆく。所定の押し込み力を加えることにより基部２６の拡径部26-1（図２）はロック用突起２８を乗り越えて、図７のように左方向に移動され、基部２６はノズル１６の端面の一体仕切部２２に当接するに至り、同時に両頭針２４の内側尖端24-1により一体仕切部２２が穿刺貫通され、両頭針２４はシリンジ本体１０の内部における薬剤収納室１５に連通せしめられる。そして、保護キャップ３０を取り外し、プランジャロッド１４を押し込んでゆくことにより、薬剤収納室１５内の薬剤を両頭針２４の外側尖端24-2より射出することができる。
【図面の簡単な説明】
【００１６】
【図１】図１は糊付きラベル装着前のこの発明の両頭針型既充填注射器の断面図である。
【図２】図２は図１における部分拡大図である。
【図３】図３はこの発明の糊付きラベルの平面図である。
【図４】図４はこの発明の両頭針型既充填注射器の保護キャップ挿入部分の部分的拡大平面図であり、糊付きラベル巻装後で未収縮状態を示す。
【図５】図５は図１と同様であるが糊付きラベル装着後のこの発明の両頭針型既充填注射器の断面図である。
【図６】図６はこの発明の両頭針型既充填注射器の保護キャップ挿入部分の部分的拡大平面図であり、糊付きラベルの収縮状態を示す。
【図７】図７は糊付きラベルを剥離し、保護キャップを押し込むことで穿刺開通させた状態におけるこの発明の両頭針型既充填注射器の断面図である。
【符号の説明】
【００１７】
１０…シリンジ本体
１２…針ユニット
１３…プランジャ
１４…プランジャロッド
１５…薬剤収納室
１６…ノズル（この発明の筒状連結部）
２２…一体仕切部
２４…両頭針
２６…基部
２８…ロック用突起
３０…保護キャップ
３２…拡径部
３４…環状窪み部
３６…糊付きラベル
３８…熱収縮フィルム切片
４０…摘み部
４２…糊抑えの奥行き限界線
【図１】
2007079433.tif 000003
【図２】
2007079433.tif 000004
【図３】
2007079433.tif 000005
【図４】
2007079433.tif 000006
【図５】
2007079433.tif 000007
【図６】
2007079433.tif 000008
【図７】
2007079433.tif 000009